(57)【要約】【課題】予測誤差を考慮してより安全性の高い河川水位予測システムを提供する。【解決手段】中小河川の集中豪雨による河川水位の変化を予測する河川水位予測システム１である。  そして、対象河川流域をメッシュ状に分割するとともにメッシュごとの流出率及び洪水到達時間を決定する河川流域情報部２と、対象河川流域の降雨量情報を取得するとともに降雨量データとして抽出する降雨情報処理部３と、河川水位の予測をする予測地点の水位と流量の関係である水位流量曲線を求める河川情報部４と、概念モデルに流出率及び洪水到達時間並びに降雨量データを入力して流量予測を行う流量解析部５１と、流量予測の結果と水位流量曲線とから河川水位を算出する水位算出部５２と、水位算出部で算出された河川水位を河川水位曲線として出力する出力部６とを備えている。【選択図】図１
2019045290.tif 000002
【特許請求の範囲】
【請求項１】
中小河川の集中豪雨による河川水位の変化を予測する河川水位予測システムであって、
対象河川流域をメッシュ状に分割するとともにメッシュごとの流出率及び洪水到達時間を決定する河川流域情報部と、
前記対象河川流域の降雨量情報を取得するとともに降雨量データとして抽出する降雨情報処理部と、
前記河川水位の予測をする予測地点の水位と流量の関係である水位流量曲線を求める河川情報部と、
流出解析モデルに前記流出率及び洪水到達時間並びに前記降雨量データを入力して流量予測を行う流量解析部と、
前記流量予測の結果と前記水位流量曲線とから河川水位を算出する水位算出部と、
前記水位算出部で算出された河川水位を河川水位曲線として出力する出力部とを備え、
前記洪水到達時間は、メッシュごとに幅を持って設定され、前記流量解析部では少なくとも洪水到達時間が早くなるモデルと遅くなるモデルの２通りの流量予測が行われるとともに、前記出力部には少なくとも２通りの河川水位曲線が出力されることを特徴とする河川水位予測システム。
【請求項２】
前記出力部には、河川水位の閾値が設定されており、予測された前記河川水位曲線のいずれかが前記閾値を超える場合に報知を行う報知手段を有することを特徴とする請求項１に記載の河川水位予測システム。
【請求項３】
前記メッシュは、１辺が250m以下であることを特徴とする請求項１又は２に記載の河川水位予測システム。
【請求項４】
前記出力部には、前記降雨量情報を表示する雨量表示領域と、前記予測された河川水位曲線を表示する予測水位表示領域とが隣接して設けられることを特徴とする請求項１乃至３のいずれか１項に記載の河川水位予測システム。
【発明の詳細な説明】
【技術分野】
【０００１】
本発明は、中小河川の集中豪雨による河川水位の変化を予測する河川水位予測システムに関するものである。
【背景技術】
【０００２】
近年、局所的な集中豪雨によって、急激に中小河川の水位が上昇し、洪水となって氾濫が起きることが頻発しており、円滑な水防活動や避難活動のためにも、正確に河川水位の予測が行えるシステムの開発が望まれている。
【０００３】
特許文献１−３及び非特許文献１には、いわゆる中小河川を対象とした降雨洪水予測システムや情報配信システムが開示されている。特に都市型の河川は、非特許文献１にも開示されているように、対象河川流域への降水からの洪水到達時間が短く、水位上昇速度も速いため、短時間で解析を行えるように様々な手法が開発されている。
【先行技術文献】
【特許文献】
【０００４】
【特許文献１】特開２００２−１０７４６２号公報
【特許文献２】特開２０１２−１９４７３８号公報
【特許文献３】特開２００８−５０９０３号公報
【非特許文献】
【０００５】
【非特許文献１】周郷友義、「特集／雨水管理の最先端技術（その２：水位）  東京都における洪水予報」、VOL.105 水循環  貯留と浸透、公益社団法人雨水貯留浸透技術協会、2017年7月7日、p.19-22
【発明の概要】
【発明が解決しようとする課題】
【０００６】
しかしながら、短時間で解析を行うための単純化された流出解析モデルでは、高精度の予測を行うことは難しい。また、短い時間の予測となると、予測誤差の影響も大きくなる。例えば、安全側に考えて、洪水が到達する最も早い時間と水位を予測した場合に、それよりも遅い時間により大きな水位上昇が起きることがある。
【０００７】
そこで、本発明は、予測誤差を考慮してより安全性の高い河川水位予測システムを提供することを目的としている。
【課題を解決するための手段】
【０００８】
前記目的を達成するために、本発明の河川水位予測システムは、中小河川の集中豪雨による河川水位の変化を予測する河川水位予測システムであって、対象河川流域をメッシュ状に分割するとともにメッシュごとの流出率及び洪水到達時間を決定する河川流域情報部と、前記対象河川流域の降雨量情報を取得するとともに降雨量データとして抽出する降雨情報処理部と、前記河川水位の予測をする予測地点の水位と流量の関係である水位流量曲線を求める河川情報部と、流出解析モデルに前記流出率及び洪水到達時間並びに前記降雨量データを入力して流量予測を行う流量解析部と、前記流量予測の結果と前記水位流量曲線とから河川水位を算出する水位算出部と、前記水位算出部で算出された河川水位を河川水位曲線として出力する出力部とを備え、前記洪水到達時間は、メッシュごとに幅を持って設定され、前記流量解析部では少なくとも洪水到達時間が早くなるモデルと遅くなるモデルの２通りの流量予測が行われるとともに、前記出力部には少なくとも２通りの河川水位曲線が出力されることを特徴とする。
【０００９】
ここで、前記出力部には、河川水位の閾値が設定されており、予測された前記河川水位曲線のいずれかが前記閾値を超える場合に報知を行う報知手段を有する構成にすることが好ましい。
【００１０】
また、前記メッシュは、１辺が250m以下であることが好ましい。さらに、前記出力部には、前記降雨量情報を表示する雨量表示領域と、前記予測された河川水位曲線を表示する予測水位表示領域とが隣接して設けられる構成とすることができる。
【発明の効果】
【００１１】
このように構成された本発明の河川水位予測システムは、対象河川流域の降雨量情報から流出解析モデルによって流量予測を行う際に、少なくとも洪水到達時間が早くなるモデルと遅くなるモデルの２通りの流量予測を行う。
【００１２】
このため、予測誤差があったとしても、洪水到達時間と水位の両方について複数のモデルを考慮することが可能になるので、より安全性の高い河川水位の予測とすることができる。
【００１３】
また、出力部に河川水位の閾値が設定されていて、予測された河川水位曲線のいずれかが閾値を超える場合に報知を行う報知手段を有していれば、水位上昇が起きる可能性が高い状況のときに、管理者は見落とすことなく警戒体制に移行することができる。さらに、メッシュの１辺が250m以下であれば、より精度の高い予測を行うことができるようになる。
【００１４】
そして、出力部に雨量表示領域と予測水位表示領域とが隣接して設けられていれば、リアルタイムの降雨量情報と比較しながら予測された河川水位曲線を見ることができるので、さらに安全側の判断をするなど対応に幅を持たせることができるようになる。
【図面の簡単な説明】
【００１５】
【図１】本発明の実施の形態の河川水位予測システムの構成及び処理の流れを示した説明図である。
【図２】対象河川流域をメッシュ状に分割した一例を示した図である。
【図３】ピーク河川水位と洪水到達時間との関係を示した図である。
【図４】水位流量曲線（Ｈ−Ｑ曲線）の一例を示した図である。
【図５】降雨量データと河川水位曲線とを上下に並べて示すとともに、ピーク河川水位の発生時間が異なる２つのモデルの予測結果の一例を示した図である。
【図６】雨量表示領域と予測水位表示領域とが隣接して表示された出力部の一例を示した図である。
【発明を実施するための形態】
【００１６】
以下、本発明の実施の形態について図面を参照して説明する。図１は、本実施の形態の河川水位予測システム１の構成及び処理の流れを示した説明図である。
【００１７】
本実施の形態の河川水位予測システム１は、中小河川の集中豪雨による河川水位の変化を予測することを目的にしている。ここで、「中小河川」とは、流域面積が小さく、貯留現象を考慮する必要のない河川をいう。例えば、流域面積が800km2程度以下の河川、都市型の河川などが含まれる。
【００１８】
また、「集中豪雨」は、降雨強度20mm/h以上の降雨を対象とし、特に降雨強度50mm/h以上の降雨が対象河川流域に降れば、河川水位予測システム１による予測は必ず行われることになる。
【００１９】
河川水位予測システム１は、図１に示すように、河川流域情報部２と、降雨情報処理部３と、河川情報部４と、解析部５（流量解析部５１，水位算出部５２）と、出力部６（画面出力部６１，報知手段となるアラート部６２）とによって主に構成される。また、実際の河川水位を観測させる観測部７を設けることもできる。
【００２０】
まず、河川流域情報部２では、対象河川流域をメッシュ状に分割する。図２には、中小河川である対象河川２１の流域２２（対象河川流域）をメッシュ状に分割した一例を示した。
【００２１】
流域２２は、河川水位の予測を行う予測地点２４の水位に影響を与える降雨になるエリアが設定される。例えば、予測地点２４の半径10km以内で、河川水位に影響を与える降水が降る範囲を、流域２２に設定することができる。
【００２２】
流域２２を分割するメッシュ２３は、例えば１辺が250mの正方形のメッシュとすることができる。すなわち、流域２２の全域が、１辺250m四方のメッシュ２３，・・・によって分割されることになる。
【００２３】
各メッシュ２３には、それぞれ流出率（流出係数）が設定される。流出率は、地形や土地の利用状況によって異なる値が設定され、舗装された地表面が多く且つ下水道からの放流も多い一般都市部であれば0.8-0.9（一般市街地0.8，密集市街地0.9）、畑や原野であれば0.6、水田であれば0.7などが設定される。
【００２４】
また、各メッシュ２３には、それぞれ洪水到達時間も設定される。この「洪水到達時間」は、あるメッシュ２３に降った降雨が予測地点２４に達するまでに要する時間となる。
【００２５】
本実施の形態の河川水位予測システム１では、各メッシュ２３において、洪水到達時間が幅を持って設定される。例えば、洪水到達時間の最も早い時間と最も遅い時間の２つの時間が、メッシュごとに設定される。
【００２６】
ここで、図３に、ピーク河川水位と洪水到達時間との関係を示した。図示したプロットは、この流域２２にある３地点（Ａ地点、Ｂ地点、Ｃ地点（図２参照））の観測値と、実用推定式による推定値を示している。
【００２７】
この図を見るとわかるように、洪水到達時間は、20-60分の間に幅を持って分散している。また、プロットに基づいて最小二乗法によって引かれた直線はほぼ水平であり、洪水到達時間が遅いケースがピーク河川水位になる可能性があることを示している。
【００２８】
そこで、洪水到達時間が最も早い時間に設定されたモデル（早達モデル６１１）と、洪水到達時間が最も遅い時間に設定されたモデル（遅達モデル６１２）とを構築する（図５，６参照）。
【００２９】
一方、降雨情報処理部３では、流域２２の降雨量情報を取得する。降雨量情報としては、気象庁から数値予報による降雨量情報を得ることができる。例えば、降水ナウキャストであれば、1km四方の解像度で降水の短期予報を得ることができる。
【００３０】
さらには、高解像度降水ナウキャストであれば、250m四方の解像度で降水の短期予報を得ることができる。すなわち、メッシュ２３を250mの正方形とすることで、高解像度降水ナウキャストによって降雨量が得られる範囲と一致させることができる。
【００３１】
そこで、高解像度降水ナウキャストの降雨量情報から、流域２２のメッシュ２３，・・・に該当する降雨量データを、降雨情報処理部３によって抽出する。この降雨情報処理部３による降雨量データの抽出は、例えば現況時間後１時間、現況時間前３時間及び洪水到達時間に対して行われる。
【００３２】
また、河川情報部４では、予め河川水位の予測をする予測地点２４の水位Ｈと流量Ｑの関係である水位流量曲線（Ｈ−Ｑ曲線）を求めておく。図４に、水位流量曲線（Ｈ−Ｑ曲線）の一例を示した。
【００３３】
この水位流量曲線（Ｈ−Ｑ曲線）は、予測地点２４の河川と洪水の影響を受ける限られた範囲（限定範囲）を決定して作成される。ここでは、図２に示した流域２２が限定範囲となる。限定範囲の河道４１においては、河積（河道４１の断面積）、河川勾配、径深、マニングの粗度係数を決定する。ここで、河積及び径深は、河川水位４１１によって変動する。
【００３４】
図４では、河川水位増加量Ｈと流量Ｑとの関係を示した。このような水位流量曲線（Ｈ−Ｑ曲線）を予め作成しておくことで、流量予測の結果を直ぐに河川水位に置き換えることができるようになる。
【００３５】
そして、流域２２に所定値以上の降雨があると、解析部５の流量解析部５１によって、流出解析モデルによる予測地点２４の流量予測が行われる。流出解析モデルは、流域２２に降る降雨から出力される河川流量を直接的に算出できる概念モデルが、入力情報や演算負荷を低減できることから好ましい。本実施の形態の河川水位予測システム１では、流出解析モデルとして、合成合理式を使用する。
【００３６】
合成合理式は、実務レベルにおける中小河川や下水道の計画に多く用いられている流出解析モデルである。合成合理式では、対象河川流域を小流域に分割して、流域の平均降雨量から流出率と洪水到達時間を考慮して合理式で求められた小流域のそれぞれのピーク流量を合成して、予測地点２４の流量を予測する方法である。
【００３７】
流量解析部５１では、河川流域情報部２から各メッシュ２３，・・・の流出率及び洪水到達時間を取得するとともに、降雨情報処理部３から各メッシュ２３，・・・の降雨量データを取得して解析を行う。
【００３８】
流量解析部５１では、洪水到達時間が早くなる早達モデル６１１と遅くなる遅達モデル６１２の２通りの解析が行われるので、２通りの流量予測が算出されることになる。
【００３９】
そして、算出された流量予測に対しては、水位算出部５２において河川水位の予測として算出される。すなわち、予測された流量を河川情報部４の水位流量曲線（Ｈ−Ｑ曲線）によって河川水位に置き換えることで、河川予測水位を算出することができる。
【００４０】
ここで、流量予測は経時値として得られるため、河川予測水位も経時値として算出されて河川水位曲線としてグラフ化することができる。図５に、予測された河川水位曲線の一例を示した。
【００４１】
この図５では、上段に降雨量データが示され、下段に河川水位の経時変化が示されている。ここで、降雨量データは、Ｍ１エリア、Ｍ２エリア、Ｍ３エリア、Ｍ４エリア及びＭ５エリアの５つのエリアと、加重平均で示されている。この５つのエリアは、合成合理式で対象河川流域を分割する小流域に相当し、本実施の形態では流域２２を５つのエリア（小流域）に分割したことを例示している。
【００４２】
そして図５の下段には、ピーク河川水位の発生時間が早いモデルとなる早達モデル６１１の予測結果と、ピーク河川水位の発生時間が遅いモデルとなる遅達モデル６１２の予測結果とを、河川水位曲線にして示している。
【００４３】
また、比較のために、予測地点２４で観測部７によって計測された実際の河川水位を観測値として示している。この観測値との比較によれば、この降雨のケースでは、早達モデル６１１の予測結果の方が近い予測ができたと言える。
【００４４】
図６は、出力部６の一例を示している。出力部６は、コンピュータのモニタ画面や専用端末画面などが該当する。また、プリンタを出力部とすることもできる。
【００４５】
この出力部６には、雨量表示領域６ａと、それに隣接する予測水位表示領域６ｂと、風速情報表示領域６ｃと、発表情報表示領域６ｄと、数値情報表示領域６ｅとが設けられている。
【００４６】
雨量表示領域６ａには、気象庁から定期的に得られる高解像度降水ナウキャストの表示が出力される。また、風速情報表示領域６ｃ及び発表情報表示領域６ｄには、同じく気象庁から得られる地上と上空の風速情報と、警報や注意報などの気象庁が発表する情報が表示される。発表情報表示領域６ｄは、注意報の場合は黄色で表示させ、警報の場合は赤色で表示させることもできる。
【００４７】
一方、予測水位表示領域６ｂには、画面出力部６１として、２通りの河川水位曲線が出力される。ここでは、早達モデル６１１による河川水位曲線と遅達モデル６１２による河川水位曲線とが出力されている。この河川水位曲線の予測は、最長でも5分間隔で更新される。
【００４８】
この２通りの河川水位曲線の予測に対して、画面出力部６１には、２つの河川水位の閾値も表示される。ここで、水位が低い方の閾値を１次管理値６２１（例えば2.2m）とし、水位が高い方の閾値を２次管理値６２２(例えば3.5m)とする。
【００４９】
そして、予測された河川水位曲線のピーク河川水位が、１次管理値６２１以下であれば、報知手段となるアラート部６２には、「河川水位アラートなし」の表示がされる。
【００５０】
これに対して、予測された２通りの河川水位曲線のいずれかのピーク河川水位が１次管理値６２１を超えた場合は、アラート部６２には、「注意」の表示がされるとともに、登録されている携帯端末にアラートメールによる発報がされる。
【００５１】
さらに、予測された２通りの河川水位曲線のいずれかのピーク河川水位が２次管理値６２２を超えた場合は、アラート部６２には、「危険」の表示がされるとともに、現場に設置された回転灯が点滅し、携帯端末にはアラートメールの発信がされる。
【００５２】
ここで、河川水位曲線の水位の値は、数値情報表示領域６ｅからも読み取ることができる。この数値情報表示領域６ｅには、観測部７によって計測された現時点の河川水位の観測値と、現時点から１時間先までの複数の予測値が、数値として表示される。
【００５３】
次に、本実施の形態の河川水位予測システム１の運用について説明する。
【００５４】
まず、河川水位を監視する予測地点２４を決め、その予測地点２４の河川水位に影響を与える降雨となる対象河川流域を流域２２として設定する（図２参照）。この流域２２に対しては、降雨情報処理部３で取得可能な降雨量データの解像度などを参照して、メッシュ２３，・・・による分割を行う。
【００５５】
続いて、分割されたメッシュ２３，・・・に対しては、河川流域情報部２において、それぞれに流出率と予測地点２４までの洪水到達時間の設定を行う。ここで、洪水到達時間は、早達モデル６１１用の早い時間と、遅達モデル６１２用の遅い時間の設定を行う。
【００５６】
一方、河川情報部４では、予測地点２４の限定範囲の河道４１における水位流量曲線（Ｈ−Ｑ曲線）を求めておく。また、予測地点２４には、観測部７として水位計などを設置して、河川水位予測システム１に取り込める状態にしておく。
【００５７】
そして、これらの初期条件が揃った時点で、コンピュータにインストール又はクラウド上に記憶された河川水位予測システム１の運用プログラムを起動させる。以下で説明する各処理は、コンピュータを機能させる命令によって実行される。
【００５８】
河川水位予測システム１の運用が開始されると、例えば5分以内の間隔で、降雨情報処理部３に気象庁から降雨量情報が取得され、降雨量データとして抽出される。この取得された降雨量情報は、出力部６となるモニタ画面の雨量表示領域６ａに表示される。雨量表示領域６ａには、３時間前から１時間先までの雨雲レーダ画像が表示される。
【００５９】
また、流量解析部５１では、抽出された降雨量データと、河川流域情報部２から取り込まれたメッシュ２３，・・・ごとの流出率及び洪水到達時間に基づいて、早達モデル６１１と遅達モデル６１２による予測地点２４における流量予測が行われる。
【００６０】
この予測された２通りの流量は、河川情報部４から取り込まれた水位流量曲線（Ｈ−Ｑ曲線）によって河川予測水位に変換され、出力部６となるモニタ画面の予測水位表示領域６ｂに表示される。予測水位表示領域６ｂには、２時間前（又は３時間前）から１時間先までの２本の河川水位曲線（６１１，６１２）が表示される。
【００６１】
ここで、予測水位表示領域６ｂには、予測された２本の河川水位曲線（６１１，６１２）の他に、１次管理値６２１と２次管理値６２２とが表示される。また、観測部７によって計測された現時点までの河川水位の観測値も併せて表示することができる。
【００６２】
予測された２本の河川水位曲線のいずれのピーク河川水位も１次管理値６２１を超えない場合は、そのまま所定の間隔で、降雨量情報の取得から河川水位の予測までの処理が繰り返される。
【００６３】
一方、予測されたいずれかのピーク河川水位が１次管理値６２１を超えた場合は、出力部６となるモニタ画面のアラート部６２に「注意」の表示がされるとともに、管理者の携帯電話などにアラートメールが発信される。
【００６４】
さらに、予測されたいずれかのピーク河川水位が２次管理値６２２を超えた場合は、出力部６となるモニタ画面のアラート部６２に「危険」の表示がされるとともに、管理者の携帯電話などにアラートメールが発信される。また、回転灯を作動させて、多くの人に視覚的な注意喚起を行わせることもできる。
【００６５】
次に、本実施の形態の河川水位予測システム１の作用について説明する。
【００６６】
このように構成された本実施の形態の河川水位予測システム１は、対象河川流域となる流域２２の降雨量情報から、合成合理式のような流出解析モデルによって流量予測を行う際に、少なくとも洪水到達時間が早くなる早達モデル６１１と遅くなる遅達モデル６１２との２通りの流量予測を行う。
【００６７】
このため、実際の河川水位の上昇と異なる予測誤差があったとしても、洪水到達時間と水位の両方について複数のモデル（６１１，６１２）を考慮するので、より安全性の高い河川水位の予測及び管理をすることができる。
【００６８】
また、出力部６に河川水位の閾値（６２１，６２２）が設定されていて、閾値を予測された河川水位曲線（６１１，６１２）のいずれかが超える場合に報知を行う報知手段（アラート部６２、アラートメール発報、回転灯などによる情報伝達機能）を有していれば、水位上昇が起きる可能性が高い状況のときに、管理者は見落とすことなく警戒体制に確実に移行することができる。
【００６９】
例えば、早達モデル６１１の予測に従えば、より早い時点で水防活動や避難活動を開始できるが、早達モデル６１１のピーク河川水位では１次管理値６２１を超えない場合、報知がされず水防活動等の開始には繋がらない。これに対して、早達モデル６１１のピーク河川水位が１次管理値６２１を超えない場合でも遅達モデル６１２のピーク河川水位が閾値を超える場合があるため、早達モデル６１１の予測だけでは充分でない場合も、遅達モデル６１２の予測を加えることで、水防活動等を安全側で開始できるようになり、より安全性の高い管理を行うことができるようになる。
【００７０】
また、観測部７によって実際に水位上昇が計測されてから水防活動等を開始した場合では、10分程度で危険水位に達することがあるため、避難するしかできないことがある。これに対して、精度の高い河川水位の予測ができていれば、建設現場であれば資機材の撤去の時間が確保できるなど、安全性が高いうえに損害の少ない有用な管理を行うことができるようになる。
【００７１】
また、早達モデル６１１と遅達モデル６１２の２通りの予測がされていれば、局所的な集中豪雨が止んだ後に、河川水位が平時に戻る時間の予想がし易くなり、安全が担保された状態で迅速に避難解除や回復措置の行動に移行することができるようになる。
【００７２】
さらに、メッシュ２３，・・・の１辺が250m以下で、高解像度降水ナウキャストのように狭い範囲の詳細な降雨量情報が取得できる環境になれば、より精度の高い河川水位の予測を行うことができる。
【００７３】
そして、出力部６に雨量表示領域６ａと予測水位表示領域６ｂとが隣接して設けられていれば、リアルタイムの降雨量情報と比較しながら予測された河川水位曲線を見ることができる。この場合は、例えばアラート部６２の表示に関わらず、管理者が降雨量情報を見ながら予測の補完を行うことができるようになるので、さらに安全側の判断をするなど対応に幅を持たせることができる。
【００７４】
さらには、出力部６のモニタ画面に、雨量表示領域６ａ及び予測水位表示領域６ｂに加えて、風速情報表示領域６ｃや気象庁からの発表情報表示領域６ｄが設けられていれば、管理者はより多くの情報から総合的な判断を行うことができるようになる。
【００７５】
以上、図面を参照して、本発明の実施の形態を詳述してきたが、具体的な構成は、この実施の形態に限らず、本発明の要旨を逸脱しない程度の設計的変更は、本発明に含まれる。
【００７６】
例えば、前記実施の形態では、早達モデル６１１と遅達モデル６１２の２通りの河川水位曲線の予測を行う場合について説明したが、これに限定されるものではなく、３通り以上の河川水位曲線の予測を行って表示させることもできる。
【００７７】
また、前記実施の形態では、流出解析モデルとして合成合理式を例に説明したが、これに限定されるものではなく、タンクモデル、単位図法などを流出解析モデルとすることもできる。
【００７８】
さらに、前記実施の形態では、流域２２を１辺が250mの正方形のメッシュ２３，・・・に分割する場合について説明したが、これに限定されるものではなく、１辺が250mより大きい、例えば１辺が1km四方のメッシュに分割することもできる。
【符号の説明】
【００７９】
１              河川水位予測システム
２              河川流域情報部
２１            対象河川（中小河川）
２２            流域（対象河川流域）
２３            メッシュ
２４            予測地点
３              降雨情報処理部
４              河川情報部
４１１          河川水位
５              解析部
５１            流量解析部
５２            水位算出部
６              出力部
６ａ            雨量表示領域
６ｂ            予測水位表示領域
６１            画面出力部
６１１          早達モデル（洪水到達時間が早くなるモデル）
６１２          遅達モデル（洪水到達時間が遅くなるモデル）
６２            アラート部（報知手段）
６２１          １次管理値（閾値）
６２２          ２次管理値（閾値）
【図１】
2019045290.tif 000003
【図２】
2019045290.tif 000004
【図３】
2019045290.tif 000005
【図４】
2019045290.tif 000006
【図５】
2019045290.tif 000007
【図６】
2019045290.tif 000008